【事件の表示】
　平成１０年特許願第２１３３５８号「遠隔操作システム」拒絶査定不服審判事件〔平成１２年　２月１８日出願公開、特開２０００−　５０３６９〕について、次のとおり審決する。
【結　論】
　本件審判の請求は、成り立たない。
【理　由】
　第１．手続の経緯
　本願は、平成１０年７月２９日の出願であって、平成１４年４月２５日付けで審判請求がなされ、特許法第１７条の２第１項第３号の規定により、平成１４年５月１７日付けで手続補正がなされたものである。　
　
　第２．平成１４年５月１７日付けの手続補正（以下、「本件補正」という。）について
　
　［補正却下の決定の結論］
　平成１４年５月１７日付けの手続補正を却下する。
　［理由］
　１．本件補正は、補正前特許請求の範囲の請求項の記載を、　　
　「複数の操作対象機器と、前記操作対象機器とバス接続され該操作対象機器の動作を制御するコントロールＢＯＸと、前記コントロールＢＯＸと赤外線通信するリモコン送信機とを備え、前記コントロールＢＯＸが、前記操作対象機器を操作するための予め定められたコマンド一覧と前記操作対象機器の機能とを結びつける機能マップと、前記機能マップに基づいて前記複数の操作対象機器が有する操作対象機能に関する情報を画像データとしてコード化する画像データ発生部と、前記画像データ発生部でコード化された情報を前記リモコン送信機に送信する第１の送信手段と、前記リモコン送信機からの操作指示を受信する第１の受信手段と、前記受信手段によって受信した操作指示に基づいて前記複数の操作対象機器の動作を制御する制御手段と有し、　前記リモコン送信機が、前記第１の送信手段が送信した情報を受信する第２の受信手段と、前記第２の受信手段によって受信した情報をデコードするデコード部と、前記デコード部によりデコードされた画像を表示する表示手段と、操作者が操作指示を入力する入力手段と、前記入力手段によって入力された操作指示を前記コントロールＢＯＸに対して送信する第２の送信手段とを有することを特徴とする遠隔操作システム。」、
　と補正することを含むものである、
　該補正は、補正前特許請求の範囲の請求項１の「第１送信手段」の送信情報である「操作対象機能に関する情報」の発生の仕方として「操作対象機能に関する情報を画像データとしてコード化する画像データ発生部」を限定すると共に、該「第１の送信手段」の送信情報を「前記画像データ発生部でコード化された情報」と限定し、さらに、補正前特許請求の範囲の請求項１の「表示手段」の表示する対象である「受信した情報」の処理の仕方として、「受信した情報をデコードするデコード部」と限定すると共に、該「表示手段」の表示する対象を「前記デコード部によりデコードされた画像」と限定することを含むものであり、これら補正事項は、明らかに特許請求の範囲の減縮するものである。
　本件補正が、特許法第１７条の２第４項第２号に規定する、特許請求の範囲の減縮を目的とするものであるので、本件補正により補正された特許請求の範囲の請求項１に記載された発明が独立して特許を受けることができるのか否かについて以下、検討する。
　
　２．特許法第２９条第２項についての検討
　（１）本件補正により補正された特許請求の範囲の請求項１に記載された発明（以下、「補正後の発明」という。）は、次のとおりのものである。 　
　【請求項１】
　「複数の操作対象機器と、前記操作対象機器とバス接続され該操作対象機器の動作を制御するコントロールＢＯＸと、前記コントロールＢＯＸと赤外線通信するリモコン送信機とを備え、前記コントロールＢＯＸが、前記操作対象機器を操作するための予め定められたコマンド一覧と前記操作対象機器の機能とを結びつける機能マップと、前記機能マップに基づいて前記複数の操作対象機器が有する操作対象機能に関する情報を画像データとしてコード化する画像データ発生部と、前記画像データ発生部でコード化された情報を前記リモコン送信機に送信する第１の送信手段と、前記リモコン送信機からの操作指示を受信する第１の受信手段と、前記受信手段によって受信した操作指示に基づいて前記複数の操作対象機器の動作を制御する制御手段と有し、　前記リモコン送信機が、前記第１の送信手段が送信した情報を受信する第２の受信手段と、前記第２の受信手段によって受信した情報をデコードするデコード部と、前記デコード部によりデコードされた画像を表示する表示手段と、操作者が操作指示を入力する入力手段と、前記入力手段によって入力された操作指示を前記コントロールＢＯＸに対して送信する第２の送信手段とを有することを特徴とする遠隔操作システム。」
　
　（２）引用例
　ア．原審拒絶査定で引用された特開平８−１８８１３号公報（以下、「引用例１」という。）には、下記（ア）〜（コ）の事項が記載されている。
　
　（ア）「【請求項１】　対象とされる機器に係る各種データを記憶する属性記憶手段と、
この属性記憶手段に記憶された機器の配置を設定し記憶する機器配置記憶手段と、
この機器配置記憶手段に記憶された機器の配置を表示し得る表示手段と、
表示機能と入力機能とを有し、前記各機器を遠隔制御するためのリモートコントロールユニットと、
このリモートコントロールユニットからの制御信号を受け、前記機器配置記憶手段に記憶されている機器の配置を少なくとも前記表示手段または前記リモートコントロールユニットのいずれかに表示するように制御する表示制御手段と、
この表示制御手段により表示された機器のうち所望の機器の操作に必要とされる操作メニューを前記リモートコントロールユニットに表示する操作メニュー表示手段と、
この操作メニュー表示手段により表示された操作メニューに従って入力操作することにより該当する機器の操作を制御する操作制御手段とを有することを特徴とする機器操作選択装置。
【請求項２】　前記表示制御手段、前記操作メニュー表示手段、前記動作制御手段は、セットトップボックス端末あるいはテレビジョン受信機内蔵形態を構成していることを特徴とする請求項１記載の機器操作選択装置。
−−−
【請求項７】　前記操作制御手段は、前記リモートコントロールユニット上でタッチ操作された操作メニューを該リモートコントロールユニットから送信し、この送信された操作メニューを受信し、この受信した操作メニューに対応する制御コードを前記属性記憶手段から読み出し、この読み出した制御コードを該当する機器に送出することにより該機器を制御する手段を有することを特徴とする請求項１記載の機器操作選択装置。」（２頁、【特許請求の範囲】）、
　
　（イ）「【０００１】
【産業上の利用分野】本発明は、例えば家庭用電子機器等の複数の機器を簡単な操作で直感的かつ統合的に遠隔操作する機器操作選択装置に関するものである。
【０００２】
【従来の技術】一般家庭における宅内の家電機器、特に映像及び音響機器等のいわゆるＡＶ機器なる一群の機器群には、赤外線を利用した遠隔操作機能、いわゆるリモコン機能が装備されている。これらの機器群としては、テレビジョン受像器（ＴＶ）、ビデオテープレコーダ（ＶＴＲ）、光学式ビデオディスクプレーヤ（ＬＤ）、衛星放送（ＢＳ）チューナ、テレテキストデコーダ（ＴＸ）、コンパクトディスクプレーヤ（ＣＤ）、その他いわゆるステレオと称する音響装置等がある。」（２頁、段落【０００１】、【０００２】）、
　
　（ウ）「【００２８】本願第７の発明の機器操作選択装置では、前記において、リモートコントロールユニット上でタッチ操作された操作メニューを送信し、この操作メニューに対応する制御コードを属性記憶手段から読み出し、この読み出した制御コードを該当する機器に送出することによりこの機器を制御する。」（５頁、段落【００２８】）、
　
　（エ）「【００３１】
【実施例】以下、図面を用いて本発明の実施例を説明する。図１は、本発明の一実施例に係わる機器操作選択装置が適用されるユーザ宅内の電子機器の配置を示した図である。このユーザ宅内には、統合操作型端末（セットトップボックス；ＳＴＢ）１０１とリモコンユニット（ＲＣＵ）１０２、ＴＶ１０３、ＶＴＲ１０４、ＶＴＲ１０５、ビデオディスクＬＤ１０６、ＦＭチューナ１０７、ＣＤプレーヤ１０８、アンプ１０９、スピーカ１１０，１１１などの映像音響機器がある。」（５頁、段落【００３１】）、
　
　（オ）「【００３７】ここでＲＣＵ１０２上のタッチパネル２００を指で触れると、対応するＴＶ画面上にカーソル１２０が表示される。タッチパネル２００上を指で触れたまま移動させると、ＴＶ１０３上のカーソルも追従して移動する。この操作をクリック＆ドラッグと称す。例えば、ＶＴＲ１０４を選択操作する場合、上記操作を継続してカーソルをＶＴＲ１０４上まで移動させ、指を離すことでＶＴＲ１０４が選択される。
【００３８】例えば、ＶＴＲ１０４の選択に伴って図３（ｃ）で示されるＶＴＲ操作時メニューがＳＴＢ１０１よりＲＣＵ１０２に転送され、タッチパネル２００に表示される。ＶＴＲ１０４にテープを入れてあれば、ユーザはＲＣＵ１０２上のタッチパネル２００内でＶＴＲ再生を示す右向きの“△”部分に指で触れることでＶＴＲ１の再生要求がＳＴＢ１０１にＩＲで伝送される。ＳＴＢ１０１ではこの要求を受けて、ＴＶ１０３にＶＴＲ１０４の再生映像を映出すべくＴＶの入力を切り替えるためＩＲでＴＶに対し機能設定コードを伝送すると同時にＩＲでＶＴＲ１０４に対し再生を行わせる機能設定コードを伝送する。以上の操作によってＴＶ１０３上にＶＴＲ１０４の再生映像が映出される。
【００３９】これに続いてＳＴＢ１０１からＲＣＵ１０２に対しては、ＴＶ側の音量調整用として図３（ｄ）で示される次操作メニューであるＴＶ選択時メニューが転送され、ＲＣＵ１０２のタッチパネル上に表示される。ユーザはここで“△”ｏｒ“▽”で示される部位を操作して、音量調整を行う。」（５頁、６頁、段落【００３７】〜【００３９】）、
　
　（カ）「【００４３】ＲＣＵ１０２の内部構成を図４に示す。タッチパネル２００を構成するタッチパネルセンサ２０１は、ｘ，ｙ方向の位置検出センサであって、下層に置かれたＬＣＤパネル２０２に表示された文字や図案を透過的に表示する半透明のセンサである。位置検出部２０３ではタッチパネルセンサ２０１上に展開されるｘ，ｙ軸マトリクスのいずれの位置に指が触れ、或いは押されているかをスキャンすることで検出し、ｘ，ｙの値として出力する。即ち、ユーザがＬＣＤパネル２０２から映出されたメニューに従ってタッチパネルセンサ２０１に触れることによって、位置検出部２０３からｘ，ｙ位置を示す信号として出力される。
【００４４】ＲＣＵ１０２からＳＴＢ１０１に対するデータ送信動作について説明する。ユーザによる操作によって発生したタッチパネルセンサ２０１の出力は、位置検出部２０３、マルチプレクサ２０４を介して、時分割にｘ，ｙデータがタイミング発生部２０５に与えられる。タイミング発生部２０５ではマルチプレクサ２０４を時分割制御し、到来したｘ，ｙデータが示す内容が所定時間内に変化なし、或いは、位置移動量が極小であった場合は、操作終了とみなし、タイミング発生部２０５内よりデータｘ，ｙを当該機器に対応したメモリテーブル２０７に格納された送信開始コードを添えてＩＲ発光部２０９に与える。ＩＲ発光部２０９ではＳＴＢ１０１に対し、両者間で決められたシリアル伝送形式に変換し、ＩＲr として赤外光で送出する。
【００４５】ＲＣＵ１０２におけるＳＴＢ１０１からのデータＩＲs 受信動作について説明する。受信したデータＩＲs なるＩＲは、受信部２０８によって受信、デコードし、タイミング発生部２０５に入力する。タイミング発生部２０５では、供給されたデータがＲＣＵ１０２以外の機器制御用のコードであるか否かを判別し、ＲＣＵ１０２用図案制御コードであればタイミング発生部２０５は受信した図案を展開し、図案メモリ２１０に記憶し、記憶された図案をメモリ２１０から読み出してＬＣＤパネル２０２上に表示する。」（６頁、段落【００４３】〜【００４５】）、
　
　（キ）「【００４８】ＲＣＵ１０２による通信は、次に示す手順で行う。一例としてＲＣＵ１０２操作によってＶＴＲを再生する場合を示す。
【００４９】ＲＣＵ１０２のタッチパネル２００の任意の位置を指先で触れることにより、操作開始コードがＲＣＵ１０２内で自動的に生成される。生成された操作開始コードに基づいてＲＣＵ１０２からＳＴＢ１０１に対して自動的に操作開始コマンドと位置データコードを送信する。ＳＴＢ１０１の電源が投入されていない場合はＳＴＢ１０１の電源投入が行われる。
【００５０】ＳＴＢ１０１ではＲＣＵ１０２に図３（ａ）に示される初期メニュー１をＩＲs として赤外光で放出する。ＲＣＵ１０２はＩＲs として伝送された識別コードを受信し、この中に含まれるＲＣＵ識別コードをＲＣＵ１０２自身が保有するＲＣＵ識別コードと比較する。比較結果が一致していれば、識別コードに続くメニューコード或いは図案コードを受信し、受信したメニューコード及び図案コードに基づいて、ＲＣＵ１０２に内蔵されたＬＣＤパネル２０２上にメニュー、或いは図案画面を表示する。これらは、先に述べた通り、タッチパネルセンサ２０１を通過して映出され、タッチパネル上の指が触れた位置情報をＳＴＢ１０１にフィードバックすることで機器選択操作が行われる。ＲＣＵ１０２ではこのＩＲs を受信し、内蔵されたＬＣＤ上に展開して再現・表示する。
【００５１】ＳＴＢ１０１では予め登録された各機器毎のリモコンコードを記憶する機器コード記憶部を有する。ＲＣＵ１０２から送信されたＩＲr 信号を受信し、ＴＶ１０３の機器指定コード及び電源投入用の機器制御コードを機器コード記憶部に記憶された情報に基づいて察知し、ＴＶ１０３の機器指定コード及び機器制御コードをＩＲで放射する。ＴＶ１０３では放射されたＩＲを受信し電源が投入される。」（６頁、７頁、段落【００４８】〜【００５１】）
　
　（ク）「【００５５】図２に示す例では、ユーザ宅と同様の機器がユーザ宅同様に配置される。ここで配置される機器は予めＳＴＢ１０１に登録された機器である。配置はデフォルト設定されるが、この状態からユーザがクリック＆ドラッグによってユーザが自宅同様の配置に組み直すことができる。
【００５６】次に、ＶＴＲ１０４を再生、視聴する場合には、ＲＣＵ１０２のタッチパネル２００をクリック＆ドラッグしてＴＶ上に表示されたメニュー図案画面の、ＶＴＲ１０４なる図案にカーソルを移動する。この操作に従ってＳＴＢ１０１からはＲＣＵ１０２に対して図３（ｃ）に示すＶＴＲ選択時メニューの図案が転送されＬＣＤパネル２０２上に表示される。
【００５７】ＳＴＢ１０１において、ＲＣＵ１０２からＩＲr として送出されたデータを受信する場合の動作を図６に示すフローチャートを参照して説明する。通常、電源は“入”の状態であるので、図中のステップＳ１１の次ステップから説明する。ステップＳ１３では、受信、デコードしたデータに開始コードの有無を検出する。開始コードがあった場合は次にＲＣＵ１０２識別コードを検出する。ここで予め決められた識別コードが検出されない場合は初期ステップＳ１３から再度動作させる（ステップＳ１４）。
【００５８】ＲＣＵ１０２の識別コードが一致した場合は、ステップＳ１６において受信したｘ，ｙなるデータそれぞれをレジスタに記憶する。ＲＣＵ１０２からの受信コードセットが揃った時点でＲＣＵ１０２着信信号を演算ブロックに対して送出する（ステップＳ１７）。この信号を受けて演算ブロックはステップＳ１８においてレジスタに格納されたｘ，ｙなるデータを読み出し、対応するメニュー画面送信チャンネルＦm1をステップＳ１９において設定する。受信データｘ，ｙからは、ステップＳ２０においてメニュー画面上のカーソルの移動量を算出し、ステップＳ２１でカーソル位置を更新する。ステップＳ１９においてＳＴＢ１０１がＴＶ１０２に対してビデオ出力−入力端子が接続されている場合はチャンネルＦm1を設定する代わりにＳＴＢ１０１のビデオ出力にメニュー画面を出力しても良い。
【００５９】更新されたカーソルのメニュー画面における位置が図２に示された各機器１０１，１０３〜１１２，１１４〜１１５のいずれか図案の領域内であり、特にＶＴＲ１０４を選択する場合はＶＴＲ１０４の図案内であれば、その後数十ミリ秒以上の所定期間内に新たなカーソル移動がなければ、またあったとしても先の機器図案枠内を外れなければステップＳ２３、Ｓ２４において機器選択完了とし、ＲＣＵ１０２に対してＶＴＲ１０４用の機能メニューをＩＲs としてステップＳ２５で送出する。ここでＲＣＵ１０２上でユーザが右向きの“△”である“再生”部に触れた場合には、ＲＣＵ１０２からＳＴＢ１０１に対してユーザ操作を示すｘ，ｙデータを伝送し、ステップＳ２７でその後数十ミリ秒以上の所定期間内のユーザからの指示であればステップＳ２８において、ＶＴＲ１０４に対応する機器コードをＶＴＲ１０４等に対してＩＲで送出する。また、ステップＳ２７において所定時間内でなければ、ステップＳ１３に戻る一連の動作を繰り返し行う。」（７頁、段落【００５５】〜【００５９】）、
　
　（ケ）「【００６３】ＲＣＵ１０２より発せられたＩＲr は、入力端子５７１に入力され、選局回路５７２、デコーダ５７３を経て、ＲＣＵ１０２からのコード信号が再生される。デコーダ５７３出力の一方は開始コード検出回路５７５によって開始コードが検出され、検出された開始コードは通信タイミング発生回路５７６に与えられる。
【００６４】選局５７２，選局制御５７３は複数のＲＣＵ１０２に対応したものであり、ＲＣＵ１０２単一の場合は選局５７２は固定として良い。
【００６５】通信タイミングの発生回路５７６は、与えらえた開始コードのタイミングに基づいて、ＲＣＵ１０２識別コード、被制御機器識別コード、ｘ，ｙなるデータコードをそれぞれ検出回路５７７，５７９で検出するために、ＲＩＣ、ＤＴＣなる各コード検出用パルスをそれぞれの回路に供給する。ここで、ＲＣＵ識別コード検出回路５７７の出力はＲＣＵ１０２を識別するデータとして通信タイミング発生回路５７６に与えられ、登録されたＲＣＵコードと異なっていれば、検出回路５７７，５７９のデータをリセットする。
【００６６】データコード検出回路５７９の出力は、ＲＣＵからのｘ，ｙなる指示に基づいてメニュー画面上のカーソル移動先算出部５８８に与えられ、移動元記憶部５８９に記憶された現行のカーソル位置からの移動量が算出される。この算出結果を移動元記憶部５８９に新たな移動元として記憶すると共に、ＲＣＵ識別コード検出回路５７７の出力であるＲＣＵ１０２を識別するデータと共に表示タイミング発生回路５６２へ供給することによってメニュー画面上のカーソル位置を移動させる。
【００６７】それぞれのコードの検出結果である検出回路５７７，５８８からの出力は機器対応テーブル５８０に入力される。機器対応テーブル５８０は、図案メモリ５５９に記憶された機器図案に対応するユーザ機器登録情報を記憶すると共に、表示タイミング発生回路５６２に対して図案メモリ５５９から読み出され表示されるタイミング、及び画面上の位置に対応させるテーブルを有する。
【００６８】機器対応テーブル５８０では、移動先算出部５８８から入力されたｘ，ｙ座標に該当する図案があるか否かを確認する。該当機器がある場合は、先の所定時間内にＲＣＵからの応答が微少範囲の移動もしくはＲＣＵからの次指示がなければ、選択終了とみなし、ｘ，ｙ座標に該当する機器コードを決定し、機器制御コード対応テーブル５８１の検索キーまたはアドレスとして供給する。
【００６９】機器制御コード対応テーブル５８１は、ユーザ登録された機器に対応する機器制御リモコンコードを記憶し、機器対応テーブル５８０から供給された情報に基づいて、該当する機器コードを出力する。
【００７０】機器制御コード対応テーブル５８１からの出力は選択回路５８４に供給される。ＲＣＵ図案選択回路５８４では、ＲＣＵ１０２用の開始コード、識別コードを挿入し、選択された機器機能に対応する図案を含むメニュー画面データを付加して変調回路５８５にてＩＲ変調して、ＲＣＵ１０２にＩＲs として送出する。」（８頁、段落【００６３】〜【００７０】）、　
　（コ）「【００９５】ＳＴＢ１０１と機器間がディジタルパスラインで接続されている場合、ＳＴＢ１０１がマスタ、その他がスレーブとなるように設定される。当初ＳＴＢ１０１に直接接続される機器ｍ１に対して接続確認と認定を行う。以降、機器ｍ１が認定された後、ｍ１を介してｍ１に接続されるｍ２の接続確認と認定を行い、同様にこれを繰り返して、接続確認ができる範囲で初期設定を行う。接続確認ができない場合はそれ以降の機器は無効とする。接続確認は、ディジタルパスライン内に設けられた、接続制御ラインを用い、ＳＴＢ１０１から接続応答要求信号を発し、ｍ１からは接続応答と、ｍ１の属性、データ方向性、型名などが接続応答に続いてＳＴＢ１０１に対して回答する。ＳＴＢ１０１ではこの回答に基づいて、データベースを検索し、機器図案を入手し登録する。属性とは、ＴＶ、ＶＴＲ、ＬＤ、ＣＤ等機能上の属性、データ方向性は出力のみ、入出力を指す。ＳＴＢ１０１からはこの後、いずれの機器がどの機器に対してデータの受け渡しを行うかを指定する。なお、ＳＴＢ１０１で実施される機能および構成をテレビジョン受信機１０２に内蔵しても良い。テレビ受信機に内蔵することによる本願の主旨は変わらない。
【００９６】
【発明の効果】以上説明したように、本発明によれば、表示手段及びリモートコントロールユニットに機器の配置を外観図によって表示し、この表示された機器のうち所望の機器を指定し、この指定された機器の操作メニューをリモートコントロールユニットに表示し、この表示された操作メニューをタッチ操作することにより該当する機器の操作を制御するので、複数の機器の操作手順を覚える必要もなく、また多数のリモコンを探すこともなく、１つのリモートコントロールユニットによって比較的簡単な操作で直観的、統合的かつ対話形式で複数の機器を制御することができる。」（１１頁、段落【００９５】、【００９６】）。　
　
　ａ．前記記載並びに図面の記載からみて、前記（エ）の段落【００３１】記載のＴＶ１０３、ＶＴＲ１０４、ＶＴＲ１０５、ビデオディスクＬＤ１０６、ＦＭチューナ１０７、ＣＤプレーヤ１０８等が操作対象機器であることは当業者に自明の事項である。
　ｂ．前記（ア）の【請求項１】、【請求項７】、前記（ウ）の段落【００２８】、前記（オ）の段落【００３７】、【００３８】、前記（キ）の段落【００５１】、前記（ク）の段落【００５９】、前記（ケ）の段落【００６９】、【００７０】、【００９６】の記載の記載の記載からみて、セットトップボックスＳＴＢが、操作対象機器に対応して予め定められた機器制御コードを記憶する記憶手段を有すると共に該記憶手段に記憶されている操作対象機器の機器制御コードに対応する機能を操作メニュー画面データ（例えば、第３図（ｃ）のＶＴＲ１０４の操作メニュー画面のデータ）として発生することは自明のことであり、そのための画面データ発生部を有することも当業者に自明の事項である。
　前記記載事項、図面の記載並びに技術常識からみて、
　引用例１には、
　「複数の操作対象機器と、前記操作対象機器とデジタルパスラインで接続され該操作対象機器の動作を制御するセットトップボックス（ＳＴＢ）と、前記セットトップボックスとＩＲ（赤外光）で通信するリモコンユニット（ＲＣＵ）とを備え、
　前記セットトップボックスが、
　前記操作対象機器に対応して予め定められた機器制御コードを記憶する記憶手段と、該記憶手段に記憶されている前記複数の操作対象機器の機器制御コードに対応する機能を操作メニュー画面データとして発生する画面データ発生部と、前記画面データ発生部で発生した該メニュー画面データを前記リモコンユニットに送信する第１のＩＲ送信部と、前記リモコンユニットからのタッチパネルセンサによって入力されたｘ、ｙデータを受信する第１のＩＲ受信部と、前記ＩＲ受信部によって受信した前記タッチパネルセンサによって入力されたｘ、ｙデータに基づいて前記複数の操作対象機器の動作を制御する手段とを有し、
　前記リモコンユニットが、
　前記送信する第１のＩＲ送信部が送信した情報を受信する第２のＩＲ受信部と、前記第２のＩＲ受信部によって受信した情報を画像として表示するＬＣＤパネルと、操作者がｘ、ｙデータを入力するタッチパネルセンサと、前記タッチパネルセンサによって入力されたｘ、ｙデータを前記セットトップボックスに対して送信する第２のＩＲ送信部とを有する機器操作選択装置。」
を構成とする発明（以下、「引用例１に記載された発明」という。）が記載されている。
　
　イ．例えば、原審拒絶の理由で引用された、特開平１０−１５５１８８号公報（以下、「引用例２」という。）には、下記（サ）〜（ツ）の事項が記載されている。
　
　（サ）「【請求項２】　前記受信手段により受信したリモコンデータを前記伝送手段に共通のネットワークコマンドに変換して前記送信手段に与えるネットワークコマンド変換手段を付加したことを特徴とする請求項１に記載のリモコン信号伝送装置。」（２頁、【特許請求の範囲】）、
　
　（シ）「【請求項７】　前記伝送手段は、ＩＥＥＥ１３９４方式のディジタルインターフェースであることを特徴する請求項１に記載のリモコン信号伝送装置。」（２頁、【特許請求の範囲】）、
　
　（ス）「【０００１】
　【発明の属する分野】本発明は、リモコン制御（遠隔制御）の可能な機器が例えばＩＥＥＥ１３９４で複数ネットワークされたネットワークシステムに関し、特に任意のリモコンを用いて目的の機器を制御するのに好適のリモコン信号伝送装置及びリモコン信号伝送方法に関する。」（３頁、段落【０００１】）、
　
　（セ）「【０００６】そこで、現在、ディジタルインターフェ−スＶＴＲの協議会及びアメリカのＴＶ（Advanced TV ）デコーダの協議会であるＥ１ＡのＲ４．１においては、画像データに適した高速インターフェイス方式の検討がなされ、特に、イソクロナス（isochronous ）転送（同期転送ともいう）機能を有するＰ１３９４方式（アメリカ電子電気学会：The Institute of Electrical and Electronics Engineers,Inc. の略で、以下、ＩＥＥＥ１３９４と記載）がポストＳＣＳＩとして採用されようとしている。
【０００７】このＩＥＥＥ１３９４方式については、主に１３９４トレードアソシエーション（Trade Association:1394TAともいう) が中心になって、規格化作業、拡張化を行っている。また、同時に、該伝送方式は同期通信が可能であり画像伝送用として特に有効であることから、ＡＶ機器器メーカも積極的に規格化作業に参加している。」（４頁、段落【０００６】、【０００７】）、
　
　（ソ）「【００１１】このようなネットワークシステムでは、伝送系としてＩＥＥＥ１３９４を採用しているため、画像データ伝送に適したイソクロナス伝送（同期伝送）が可能であり、特に各映像機器間における画像データ伝送においては有効である。また、ＩＥＥＥ１３９４は、周知のようにコンピュータデータ伝送に適したエイシンクロナス伝送（非同期伝送）も可能であることから、夫々の機器間における制御データもＩＥＥＥ１３９４方式のコマンドとしてデータ伝送するのに有効である。
【００１２】ここで、従来より普及している他のネットワークシステムの一例を示すと、例えば従来より一般の家庭内で採用されているホームバス等のネットワークシステムがある。このネットワークシステムでは、共通の伝送系を介して接続される複数の機器の内、いずれか１つの機器（例えば主制御機器）を用いて操作することにより、夫々の機器に対する制御を可能にする。つまり、操作内容を簡易化するためには、ＩＥＥＥ１３９４を採用してＩＥＥＥ１３９４ネットワークシステムを構築した場合においても、ホームバスのようにユーザにとって、極力１つの機器による操作で他の目的とする機器制御を行うことが望ましい。
【００１３】機器を操作制御する方法としては、リモコン装置による遠隔制御が一般的であり、本来各機器には、夫々固有のリモコン装置が備えられている。ＩＥＥＥ１３９４ネットワークにおける各機器についても、夫々リモコン装置が備えられており、できれば任意のリモコン装置を用いて接続される目的の機器が制御可能になることが望ましい。」（４頁、５頁、段落【００１１】〜【００１３】）、
　
　（タ）「【００１６】このように従来のリモコン装置では、メーカ別に設けられたリーダコードや、機器の機種を識別するためのカスタムコード、またコマンドに対応したデータコ ードを送信することによって、複数の機器が設置された場合でも、受信する機器側ではこれを区別し、リモコン信号に対応する機器のみが制御されるようになっている。ところが、ＩＥＥＥ１３９４ネットワークが構築された場合でも、上述したように接続される機器には、夫々固有のリモコン装置が備えられていることになる。ここで、ホームバス等のネットワークシステムのように、いずれか１つのリモコン装置を用いて他の目的機器を制御することが望ましいが、接続される機器単体に夫々設けられたリモコン装置では、機器特有の機器制御が多く、また煩雑な制御信号も送信されることから、リモコン制御全部がＩＥＥＥ１３９４規格における共通コマンドとして扱うことは極めて困難である。即ち、ＩＥＥＥ１３９４ネットワークでは、任意の機器に対して、ネットワークに接続された他の機器のリモコン装置を用いてリモコン信号を送信することで目的とする接続された機器を制御することはできない。」（５頁、段落【００１６】）、
　
　（チ）「【００１９】
　【発明が解決しようとする課題】上記の如く、従来のリモコン装置を用いた制御方法では、メーカ及び機器機種毎に設定されたカスタムコードを利用することにより、夫々のリモコン装置による個々のリモコン制御を可能にしていたが、これらのリモコン装置は機器特有の制御が多く、また煩雑な制御信号もある。ＩＥＥＥ１３９４ネットワークが一般家庭の普及された場合でも、ＡＶコントロールセンターとなる機器から、ＩＥＥＥ１３９４のコマンドによって、各機器全ての機器を制御するような状況にはならず、各機器毎のリモコン自体の存在は続くであろう。つまり、ＩＥＥＥ１３９４規格における共通のＡＶコマンドでネットワーク内の機器の全ての機能を制御することは極めて困難である。このため、ＩＥＥＥ１３９４ネットワーク内においても、任意の機器に対し、リモコンによる制御は、従来通り各機器に向かってリモコン送信を行い、制御しなければならなかった。つまり、ユーザにとってＩＥＥＥ１３９４ネットワークになっても、各機器経の制御方法の使い勝手はあまり向上しないという問題点があった。（５頁、段落【００１９】）
　（ツ）「【００７５】尚、本実施形態例では、エイシンクロナスパケットのブロックデータフィールドに、実際に目的機器を制御するためのリモコンデータを挿入して伝送するように説明したが、例えばブロックデータフィールドに挿入するデータはリモコンデータそのものではなく、ＩＥＥＥ１３９４ネットワークコマンド（１３９４ＡＶ／Ｃコマンド）に該当するものであれば、ネットワークコマンド変換手段８を用いてネットワークコマンドに変換してデータを送信するように制御しても良い。　また、本実施形態例におけるネットワークの伝送形態は、ＩＥＥＥ１３９４規格のネットワークを採用したことについて説明したが、これに限定されることはなく、ＩＥＥＥ１３９４以外のネットワークシステムを構築した場合でも同様の効果を得、上述したソース・ノードＩＤと目的ノードＩＤとについては、夫々のネットワークで規定されるフォーマットに基づきコマンド送信機器、コマンド受信機器の指定方法で指定すれば良い。」（１１頁、段落【００７５】）、
　
　前記記載事項、図面の記載並びに技術常識からみて、
　引用例２には、「ＩＥＥＥ１３９４ネットワークコマンド（１３９４ＡＶ／Ｃコマンド）をＩＥＥＥ１３９４規格のネットワークを用いて伝送することにより目的のＡＶ機器を制御する」（以下、「引用例２の記載事項」という。）、
　ことが記載されている。
　　
　（３）対比・判断
　補正後の発明と引用例１に記載された発明とを対比すると、
　
　（ａ）補正後の発明の「バス」と、引用例１に記載された発明の「デジタルパスライン」とは、「伝送手段」である。
　
　（ｂ）引用例１に記載された発明の「セットトップボックス」、「ＩＲ（赤外光）で通信」、「リモコンユニット」、「第１のＩＲ送信部」、「第１のＩＲ受信部」、「第２のＩＲ受信部」、「第２のＩＲ送信部」、「ＬＣＤパネル」、「タッチパネルセンサ」、「機器操作選択装置」は、各々、補正後の発明の「コントロールＢＯＸ」、「赤外線通信」、「リモコン送信機」、「第１の送信手段」、「第１の受信手段」、「第２の受信手段」、「第２の送信手段」、「表示手段」、「入力手段」、「遠隔操作システム」に相当する。
　
　（ｃ）引用例１に記載された発明の「操作対象機器の機器制御コードに対応する機能」、「操作メニュー画面データ」、「画面データ発生部」、「タッチパネルセンサによって入力されたｘ、ｙデータ」は、各々、補正後の発明の「操作対象機器が有する操作対象機能に関する情報」、「画像データ」、「画像データ発生部」、「操作指示」である。
　
　（ｄ）補正後の発明の「前記操作対象機器を操作するための予め定められたコマンド一覧と前記操作対象機器の機能とを結びつける機能マップ」と、引用例１に記載された発明の「前記操作対象機器に対応して予め定められた機器制御コードを記憶する記憶手段」とは、引用例１に記載された発明の記憶手段が、前記操作対象機器を操作するための予め定められた機器制御コードと前記操作対象機器を示す情報を結びつけるマップであることは自明のことであり、補正後の発明の「予め定められたコマンド一覧」と前記引用例１に記載された発明の構成から自明な構成の「予め定められた機器制御コード」とが、「予め定められた命令」であり、補正後の発明の「前記操作対象機器の機能」と前記引用例１に記載された発明の構成から自明な構成の「前記操作対象機器を示す情報」とが、「前記操作対象機器に関する情報」であるので、「前記操作対象機器を操作するための予め定められた命令と前記操作対象機器に関する情報を結びつけるマップ」で一致する。　　
　
　（ｅ）補正後の発明の「前記機能マップに基づいて前記複数の操作対象機器が有する操作対象機能に関する情報を画像データとしてコード化する画像データ発生部と、前記画像データ発生部でコード化された情報を前記リモコン送信機に送信する第１の送信手段」、「前記第１の送信手段が送信した情報を受信する第２の受信手段と、前記第２の受信手段によって受信した情報をデコードするデコード部と、前記デコード部によりデコードされた画像を表示する表示手段」と、
　引用例１に記載された発明の「該記憶手段に記憶されている前記複数の操作対象機器の機器制御コードに対応する機能を操作メニュー画面データとして発生する画面データ発生部と、前記画面データ発生部で発生した該メニュー画面データを前記リモコンユニットに送信する第１のＩＲ送信部」、「前記第１のＩＲ送信部が送信した情報を受信する第２のＩＲ受信部と、前記第２のＩＲ受信部によって受信した情報を画像として表示するＬＣＤパネル」とは、
　前記（ｂ）、（ｃ）、（ｄ）を考慮して、
　各々、「前記複数の操作対象機器が有する操作対象機能に関する情報を画像データとして発生する画像データ発生部と、前記画像データ発生部で発生した情報を前記リモコン送信機に送信する第１の送信手段」、「前記第１の送信手段が送信した情報を受信する第２の受信手段と、前記第２の受信手段によって受信した情報を画像として表示する表示手段」で一致する。
　そうしてみると、補正後の発明と引用例１に記載された発明とは、
　「複数の操作対象機器と、前記操作対象機器と伝送手段で接続された該操作対象機器の動作を制御するコントロールＢＯＸと、前記コントロールＢＯＸと赤外線通信するリモコン送信機とを備え、
　前記コントロールＢＯＸが、
　前記操作対象機器を操作するための予め定められた命令と前記操作対象機器に関する情報を結びつけるマップと、前記複数の操作対象機器が有する操作対象機能に関する情報を画像データとして発生する画像データ発生部と、前記画像データ発生部で発生した情報を前記リモコン送信機に送信する第１の送信手段と、前記リモコン送信機からの操作指示を受信する第１の受信手段と、前記受信手段によって受信した操作指示に基づいて前記複数の操作対象機器の動作を制御する制御手段と有し、
　前記リモコン送信機が、
　前記第１の送信手段が送信した情報を受信する第２の受信手段と、前記第２の受信手段によって受信した情報を画像として表示する表示手段と、操作者が操作指示を入力する入力手段と、前記入力手段によって入力された操作指示を前記コントロールＢＯＸに対して送信する第２の送信手段とを有する遠隔操作システム。」、
である点において一致し、
　（１）「伝送手段」が、補正後の発明では「バス」であるのに対し、引用例１に記載された発明では、「デジタルパスライン」である点、
　（２）「前記操作対象機器を操作するための予め定められた命令と前記操作対象機器に関する情報を結びつけるマップ」が、補正後の発明では「前記操作対象機器を操作するための予め定められたコマンド一覧と前記操作対象機器の機能とを結びつける機能マップ」であるのに対し、引用例１に記載された発明では、「前記操作対象機器に対応して予め定められた機器制御コードを記憶する記憶手段」である点、　
　（３）「前記複数の操作対象機器が有する操作対象機能に関する情報を画像データとして発生する画像データ発生部と、前記画像データ発生部で発生した情報を前記リモコン送信機に送信する第１の送信手段」、「前記第１の送信手段が送信した情報を受信する第２の受信手段と、前記第２の受信手段によって受信した情報を画像として表示する表示手段」について、補正後の発明が、各々、「前記機能マップに基づいて前記複数の操作対象機器が有する操作対象機能に関する情報を画像データとしてコード化する画像データ発生部と、前記画像データ発生部でコード化された情報を前記リモコン送信機に送信する第１の送信手段」、「前記第１の送信手段が送信した情報を受信する第２の受信手段と、前記第２の受信手段によって受信した情報をデコードするデコード部と、前記デコード部によりデコードされた画像を表示する表示手段」であるのに対し、引用例１に記載された発明には、このような、「画像データ発生部」、「コード化」、「デコード」に関する記載がない点、
　で相違する。
　
　次に前記相違点（１）〜（３）について検討する。　　　　　　　　　　　　　　　
　相違点（１）〜（３）について、
　引用例２には、引用例２の記載事項として、「ＩＥＥＥ１３９４ネットワークコマンド（１３９４ＡＶ／Ｃコマンド）をＩＥＥＥ１３９４規格のネットワークを用いて伝送することにより目的のＡＶ機器を制御する」が記載されている。また、ＩＥＥＥ１３９４規格に関連し、ＡＶ機器の機能ごとに該ＡＶ機器を制御するためのコマンドが規定されていることは本願出願前より当業者に周知の事項であり（以下、「周知事項１」という。）、この場合、ＡＶ機器の機能毎にＡＶ機器を制御するためのコマンドを管理しそれを用いようとすることは当業者が普通に想到し得るところである。そして、引用例１に記載された発明に前記ＩＥＥＥに関する事項を適用する点に何ら阻害する要件もないから、引用例１に記載された発明の伝送手段として、引用例２の記載事項の「ＩＥＥＥ１３９４のネットワーク」を用い、その際、ネットワークの一形態として「バス」があることは技術常識であるから、引用例１に記載された発明の伝送手段を「バス」とすることは当業者が容易に成し得たことであり（相違点（１））、また、「前記操作対象機器を操作するための予め定められた命令と前記操作対象機器に関する情報を結びつけるマップ」が、引用例１に記載された発明では「前記操作対象機器に対応して予め定められた機器制御コードを記憶する記憶手段」であるところ、周知事項１に関連して記載したように、ＡＶ機器の機能毎にＡＶ機器を制御するためのコマンドを管理しそれを用いようとすることは当業者が普通に想到し得る、ところであるから、引用例１に記載された発明において、「予め定められた命令と前記操作対象機器に関する情報を結びつけるマップ」を「前記操作対象機器を操作するための予め定められたコマンド一覧と前記操作対象機器の機能とを結びつける機能マップ」として構成することは当業者が容易に成し得たことである（相違点（２））。
　なお、その際、引用例１に記載された発明においても、コントロールＢＯＸ（セットトップボックス）において、リモコン送信機（リモコンユニット）から送られる操作対象機器を示す情報から該当する操作対象機器の機能を知る機構（操作対象機器とその機能の対応を示すマップ）が必要であることも当然のことである。
　そして、さらに、引用例１に記載された発明には、「該記憶手段に記憶されている前記複数の操作対象機器の機器制御コードに対応する機能を操作メニュー画面データとして発生する」こと、即ち、該マップ（記憶手段）に記憶されている前記複数の操作対象機器が有する操作対象機能に関する情報（操作対象機器の機器制御コードに対応する機能）を画像データ（操作メニュー画面データ）として発生することが記載されているのであるから、該マップに基づいて前記複数の操作対象機器が有する操作対象機能に関する情報を画像データとして発生することは当業者が適宜なし得る程度の事項と認められ、また、「情報を画像データとしてコード化して発生し、コード化して発生された情報を相手装置に送信すると共に、相手装置では、送信された情報を受信し、受信した情報をデコードし、デコードされた画像情報を表示する」ことは画像伝送技術において周知慣用されている技術（以下、「周知慣用技術」という。）であり、引用例１に記載された発明に、前記周知慣用技術を適用する点に何ら阻害する要件はないから、引用例１に記載された発明において、「前記複数の操作対象機器が有する操作対象機能に関する情報を発生する画像データ発生部と、前記画像データ発生部で発生した情報を前記リモコン送信機に送信する第１の送信手段」、「前記第１の送信手段が送信した情報を受信する第２の受信手段と、前記第２の受信手段によって受信した情報を画像として表示する表示手段」を、各々、「前記機能マップに基づいて前記複数の操作対象機器が有する操作対象機能に関する情報を画像データとしてコード化する画像データ発生部と、前記画像データ発生部でコード化された情報を前記リモコン送信機に送信する第１の送信手段」、「前記第１の送信手段が送信した情報を受信する第２の受信手段と、前記第２の受信手段によって受信した情報をデコードするデコード部と、前記デコード部によりデコードされた画像を表示する表示手段」として構成することは当業者が容易に成し得たことである（相違点（３））。
　
　そして、補正後の発明の効果も、前記引用例１に記載された発明及び引用例２の記載事項、周知事項１、周知慣用技術から当業者が予想できる範囲のものである。
　
　（４） よって、本件補正後の発明は、前記引用例１に記載された発明及び引用例２の記載事項、周知事項１、周知慣用技術に基づいて当業者が容易に発明をすることができたものであるから、特許法第２９条第２項の規定により、特許出願の際独立して特許を受けることができないものである。
　
　３．以上のとおり、本件補正は、特許法第１７条の２第５項で準用する同法第１２６条第４項の規定に違反するので、同法１５９条第１項で準用する同法第５３条第１項の規定により却下する。
　
　第３．本願発明について
　
　１．本願発明
　平成１４年５月１７日付けの手続補正は前記第２．の記載のとおり却下されたので、
　平成１４年１月２５日付けで補正された明細書および図面の記載からみて、その請求項１に係る発明（以下、「本願発明」という。）は、次のとおりのものである。
　【請求項１】
　「複数の操作対象機器と、前記操作対象機器とバス接続され該操作対象機器の動作を制御するコントロールＢＯＸと、前記コントロールＢＯＸと赤外線通信するリモコン送信機とを備え、
　前記コントロールＢＯＸが、前記操作対象機器を操作するための予め定められたコマンド一覧と前記操作対象機器の機能とを結びつける機能マップと、前記機能マップに基づいて前記複数の操作対象機器が有する操作対象機能に関する情報を前記リモコン送信機に送信する第１の送信手段と、前記リモコン送信機からの操作指示を受信する第１の受信手段と、前記受信手段によって受信した操作指示に基づいて前記複数の操作対象機器の動作を制御する制御手段と有し、
　前記リモコン送信機が、前記第１の送信手段が送信した情報を受信する第２の受信手段と、前記受信手段によって受信した情報を表示する表示手段と、操作者が操作指示を入力する入力手段と、前記入力手段によって入力された操作指示を前記コントロールＢＯＸに対して送信する第２の送信手段とを有する　
ことを特徴とする遠隔操作システム。」
　　
　２．引用例
　（１）原審拒絶査定で引用された引用例１、その記載事項及び「引用例１に記載された発明」は、前記「第２．、２．、（２） 、　ア．」に記載したとおりである。
　
　（２）原審拒絶の理由で引用された引用例２の記載事項は、「第２．、２．、（２）、 イ．」に記載したとおりである。
　
　３．対比・判断
　本願発明と引用例１に記載された発明とを対比すると、
　本願発明は、前記第２．で検討した補正後の発明の「第１送信手段」の送信情報である「操作対象機能に関する情報」の発生の仕方が「操作対象機能に関する情報を画像データとしてコード化する画像データ発生部」であるとの限定を削除し、該「第１の送信手段」の送信情報が「前記画像データ発生部でコード化された情報」であるとの限定を削除し、さらに、補正後の発明の「表示手段」の表示する対象である「受信した情報」の処理の仕方が「受信した情報をデコードするデコード部」であるとの限定を削除すると共に、該「表示手段」の表示する対象が「前記デコード部によりデコードされた画像」であるとの限定を削除したものである。
　そうすると、本願発明の構成要件を全て含み、さらに他の構成要件を限定したものに相当する本件補正後の発明が、前記「第２．、２．、（３）」に記載したとおり、前記引用例１に記載された発明及び引用例２の記載事項、周知事項１、周知慣用技術に基づいて当業者が容易に発明をすることができたものであるから、本願発明も、同様の理由により、前記引用例１に記載された発明及び引用例２の記載事項、周知事項１、周知慣用技術に基づに基づいて当業者が容易に発明をすることができたものである。　
　
　４． むすび
　以上のとおりであるから、本願発明は、前記引用例１に記載された発明及び引用例２の記載事項、周知事項１、周知慣用技術に基づいて当業者が容易に発明をすることができたものであるから、特許法第２９条第２項の規定により、特許を受けることができないものである。
　よって、結論のとおり審決する。